(57)【要約】      （修正有）【課題】着脱自在に接続することが可能なプラグとジャックの部位で、またその一形態としてのピンプラグとピンジャックの部位で防水性が破られないようにすべく、防水性を有する電気的接続部品を提供する。またこのような防水性を有する電気的接続部品を備えた電気製品を提供する。【解決手段】防水性を有する電気的接続部品は、プラグの接点金具１０とツマミ１１との間にパッキン２を設けて、このパッキンがジャックの周囲に密着するようにして成る。またピンプラグとピンジャックに付いても同様の構成とした。なおジャックやピンジャックの側にもパッキンを設けることが出来る。またこのような防水性を有する電気的接続部品を備えた電気製品とした。【選択図】図１
0003155031.tif 000002
【実用新案登録請求の範囲】
【請求項１】
プラグのピンとツマミとの間にパッキンが設けられており、このパッキンがピンジャックの周囲に密着するように構成されていることによって、前記ピンとこのピンジャック側の受け口とを、前記パッキンとこれに密着するジャックの部位との内側に水密に保護するようにしたことを特徴とする、防水性を有する電気的接続部品。
【請求項２】
プラグのピンとツマミとの間にパッキンが設けられており、ジャックの前記パッキンに当たる部位にパッキンが設けられていることによって、前記ピンとこのピンジャック側の受け口とを、プラグのパッキンとこれに密着するジャックのパッキンとの内側に水密に保護するようにしたことを特徴とする、防水性を有する電気的接続部品。
【請求項３】
ピンプラグのピンとツマミとの間に螺子部が設けられていると共にこの螺子部と前記ツマミとの間にパッキンが設けられており、且つピンジャックの前記螺子部に当たる部位にこれに対応する螺子部が設けられていると共に、前記パッキンがピンジャックの周囲に密着するように構成されていることにより、前記ピンとこのピンジャック側の受け口とを、前記パッキンとこれに密着するジャックの部位との内側で且つ前記螺子部同士による螺合部分の内側に、水密に保護するようにしたことを特徴とする、防水性を有する電気的接続部品。
【請求項４】
ピンプラグのピンとツマミとの間に螺子部が設けられていると共にこの螺子部と前記ツマミとの間にパッキンが設けられており、且つピンジャックの前記螺子部に当たる部位にこれに対応する螺子部が設けられていると共に前記パッキンに当たる部位にパッキンが設けられていることにより、前記ピンとこのピンジャック側の受け口とを、プラグのパッキンとこれに密着するジャックのパッキンとの内側で且つ前記螺子部同士による螺合部分の内側に、水密に保護するようにしたことを特徴とする、防水性を有する電気的接続部品。
【請求項５】
前記ツマミに滑り止めが設けられている、請求項１乃至請求項４の何れか一に記載の防水性を有する電気的接続部品。
【請求項６】
防水性を有する電気製品がプラグを受けるジャックを備えており、前記プラグのピンとツマミとの間にパッキンが設けられており、このパッキンがジャックの周囲に密着するように構成されていることにより、前記ピンとこのピンジャック側の受け口とを前記パッキンとこれに密着するジャックの部位との内側に水密に保護するようにしたことを特徴とする、防水性を有する電気的接続部品を備えた電気製品。
【請求項７】
防水性を有する電気製品がプラグを受けるジャックを備えており、前記プラグのピンとツマミとの間にパッキンが設けられており、ジャックの前記パッキンに当たる部位にパッキンが設けられていることにより、前記ピンとこのピンジャック側の受け口とをプラグのパッキンとこれに密着するジャックのパッキンとの内側に水密に保護するようにしたことを特徴とする、防水性を有する電気的接続部品を備えた電気製品。
【請求項８】
防水性を有する電気製品がピンプラグを受けるピンジャックを備えており、前記ピンプラグのピンとツマミとの間に螺子部が設けられていると共にこの螺子部と前記ツマミとの間にパッキンが設けられており、且つピンジャックの前記螺子部に当たる部位にこれに対応する螺子部が設けられていると共に、前記パッキンがピンジャックの周囲に密着するように構成されていることによって、前記ピンとこのピンジャック側の受け口とを、前記パッキンとこれに密着するピンジャックの部位との内側で且つ前記螺子部同士による螺合部分の内側に、水密に保護するようにしたことを特徴とする、防水性を有する電気的接続部品を備えた電気製品。
【請求項９】
防水性を有する電気製品がピンプラグを受けるピンジャックを備えており、前記ピンプラグのピンとツマミとの間に螺子部が設けられていると共にこの螺子部と前記ツマミとの間にパッキンが設けられており、且つピンジャックの前記螺子部に当たる部位にこれに対応する螺子部が設けられていると共に前記パッキンに当たる部位にパッキンが設けられていることにより、前記ピンとこのピンジャック側の受け口とを、ピンプラグのパッキンとこれに密着するピンジャックのパッキンとの内側で且つ前記螺子部同士による螺合部分の内側に、水密に保護するようにしたことを特徴とする、防水性を有する電気的接続部品を備えた電気製品。
【請求項１０】
前記ツマミに滑り止めが設けられている、請求項６乃至請求項９の何れか一に記載の防水性を有する電気的接続部品を備えた電気製品。
【考案の詳細な説明】
【技術分野】
【０００１】  この考案は例えばアウトドアで利用される防水ラジオや風呂で使用される防水マッサージ機などの電気製品と、これに用いられる防水性を有する電気的接続部品に関する。
【背景技術】
【０００２】  主にアウトドアで使用され降雨やシャワーにも強いラジオや、風呂の中で例え湯船につけても大丈夫なように作られている電気マッサージ機や、防水形の押釦スイッチなどでは、全体として水に強い構造が採用されている。【０００３】  これ等は何れも内部全体を防水膜層で包むような構造となっており、これにより湿気や水分の浸入が防がれている。或いは外部を透明なプラスチックケースで覆うようにして防水性能を獲得している場合もある。
【考案の開示】
【考案が解決しようとする課題】
【０００４】  しかしながら上述のような全体を防水手段で包むものでは、例えば防水ラジオのようにイヤホンを着脱自在に取り付けようとすると、そこで防水性が破られてしまう。また電気マッサージ機に於いて、偏心分銅が回転軸に設けられたモータを備える振動発生部と電池やスイッチや前記モータの回転制御回路を備える制御部とを別々に設けて両者をリード線で着脱自在に接続するような場合では、両者共にリード線の接続部分で防水性が破られてしまうのである。【０００５】  このような接続部分には、プラグとジャックとの組やその一形態としてのピンプラグとピンジャックとの組が用いられることが多いが、このような電気的接続部品に付いてこの部位で防水性が破られてしまうのは問題である。【０００６】  そこでこの考案では上述したような問題点を解決して、着脱自在に接続することが可能なプラグとジャックの部位でまたその一形態としてのピンプラグとピンジャックの部位で防水性が破られないようにすべく、防水性を有する電気的接続部品を提供することを目的とする。またこのような防水性を有する電気的接続部品を備えた電気製品を提供することを目的とする。
【課題を解決するための手段】
【０００７】  上記課題は、プラグのピンとツマミとの間にパッキンが設けられており、このパッキンがピンジャックの周囲に密着するように構成されていることによって、前記ピンとこのピンジャック側の受け口とを、前記パッキンとこれに密着するジャックの部位との内側に水密に保護するようにしたことを特徴とする、防水性を有する電気的接続部品とすることで達成される。プラグとジャックには各種の形態がある。また特にピンプラグとピンジャックには、２芯ケーブルによって電源供給や音声信号伝達を行なうためだけの２接点のものもあれば、電源供給と共に制御信号伝達などを行なう３接点以上の接点を備えたものもある。またパッキンにはゴムパッキンなど任意のものが使用可能である。【０００８】  たとえ電気製品のジャックの口とプラグとの間に防水性能を持たせておいたとしても、プラグの接点金具が挿される部位のみ孔が開いており防水性を備えないのであるが、この考案によればプラグをジャックに挿すと、プラグ側のパッキンがジャックの周囲に密着するためにこの時点で防水機能が得られたことになり、この部位から湿気や水分が浸入することはない。なおプラグ側に於いてはプラグとケーブルとの接点を防水構造としておくことが好ましい。これはピンプラグとピンジャックの組に於いても言える。またこれは以下の説明に於いても同様である。【０００９】  また上記課題は、プラグのピンとツマミとの間にパッキンが設けられており、ジャックの前記パッキンに当たる部位にパッキンが設けられていることによって、前記ピンとこのピンジャック側の受け口とを、プラグのパッキンとこれに密着するジャックのパッキンとの内側に水密に保護するようにしたことを特徴とする、防水性を有する電気的接続部品とすることで達成される。【００１０】  この考案によればプラグをジャックに挿着すると、プラグ側のパッキンとジャック側のパッキンとが密着するために、この時点で防水機能が得られたことになり、この部位から湿気や水分が浸入することはない。なおプラグ側に於いては、プラグとケーブルとの接点を防水構造としておくことが好ましい。【００１１】  また上記の課題は、ピンプラグのピンとツマミとの間に螺子部が設けられていると共にこの螺子部と前記ツマミとの間にパッキンが設けられており、且つピンジャックの前記螺子部に当たる部位にこれに対応する螺子部が設けられていると共に、前記パッキンがピンジャックの周囲に密着するように構成されていることにより、前記ピンとこのピンジャック側の受け口とを、前記パッキンとこれに密着するジャックの部位との内側で且つ前記螺子部同士による螺合部分の内側に、水密に保護するようにしたことを特徴とする、防水性を有する電気的接続部品とすることによって達成される。ピンプラグとピンジャックの接点数に付いては上述した通りである。【００１２】  この考案のピンプラグをピンジャックに挿すにはピンプラグを螺子を回すように回転させるようにする。パッキンによるピンプラグとピンジャックとの間の前記パッキンによる防水機能に付いては上述した通りであるが、この考案ではさらにピンプラグ側に螺子部が設けられており、これに対応してピンジャック側にも螺子部が設けられていることにより、ピンジャックにピンプラグを螺子込むとこの時点で防水機能が得られたことになり、この部位でも防水性が確保されるようになる。従ってこの考案によれば螺子とパッキンとによる二重の防水性能を獲得出来るのである。【００１３】  また上記の課題は、ピンプラグのピンとツマミとの間に螺子部が設けられていると共にこの螺子部と前記ツマミとの間にパッキンが設けられており、且つピンジャックの前記螺子部に当たる部位にこれに対応する螺子部が設けられていると共に前記パッキンに当たる部位にパッキンが設けられていることにより、前記ピンとこのピンジャック側の受け口とを、プラグのパッキンとこれに密着するジャックのパッキンとの内側で且つ前記螺子部同士による螺合部分の内側に、水密に保護するようにしたことを特徴とする、防水性を有する電気的接続部品とすることにより達成される。【００１４】  螺子部によるピンプラグとピンジャックとの間の防水機能に付いては上述した通りであるが、この考案ではピンプラグをピンジャックに挿すと、ピンプラグ側のパッキンとピンジャック側のパッキンとが密着するためにこの時点で防水機能が得られたことになり、この部位から湿気や水分が浸入することはない。【００１５】  なお請求項１の考案に関して前記ツマミに滑り止めが設けられているものとしても良い。また請求項２の考案に関して前記ツマミに滑り止めが設けられているものとしても良い。同様に請求項３の考案に関して前記ツマミに滑り止めが設けられているものとしても良い。また請求項４の考案に関して前記ツマミに滑り止めが設けられているものとしても良い。この滑り止めとしては、ツマミに付けるゴムやツマミの表面に刻設されたリブなどを上げることが出来るが、これ以外の形態のものも任意に採用可能である。【００１６】  請求項１や請求項３の考案ではプラグはツマミをつまんでジャックに挿されるが、この際にツマミをつまむ指先でプラグの方向に力を加えることになる。従ってツマミに滑り止めが設けられているとプラグを挿したり抜いたりする際に指先が滑らないので良い。水周りで使用される電気的接続部品としてはこのような滑り止めが設けられている方がより好ましくある。【００１７】  また請求項２や請求項４の考案ではプラグはツマミを指先でつまんで回すようにしてジャックの中に挿されるが、このツマミを回転させる方向に力を加えた際にツマミに滑り止めが設けられていると指先が滑らないので良い。やはり水周りで使用される電気的接続部品としてはこの方がより好ましい。【００１８】  さて、この考案の電気的接続部品はアウトドアや水周りで使用されるあらゆる電気製品に適用可能である。すなわち請求項６の考案は防水性を有する電気製品がプラグを受けるジャックを備えており、前記プラグのピンとツマミとの間にパッキンが設けられており、このパッキンがジャックの周囲に密着するように構成されていることにより、前記ピンとこのピンジャック側の受け口とを前記パッキンとこれに密着するジャックの部位との内側に水密に保護するようにしたことを特徴とする、防水性を有する電気的接続部品を備えた電気製品である。【００１９】  電気製品の全体は防水性を備えていなくてはならないが、上記のような電気的接続���品を用いることにより、この部位の防水性が破られることなく確保され、従って全体が防水性を備えることになる。【００２０】  また請求項７の考案は防水性を有する電気製品がプラグを受けるジャックを備えており、前記プラグのピンとツマミとの間にパッキンが設けられており、ジャックの前記パッキンに当たる部位にパッキンが設けられていることにより、前記ピンとこのピンジャック側の受け口とをプラグのパッキンとこれに密着するジャックのパッキンとの内側に水密に保護するようにしたことを特徴とする、防水性を有する電気的接続部品を備えた電気製品である。【００２１】  電気製品の全体は防水性を備えていなくてはならないのであるが、プラグをジャックに挿すと、プラグ側のパッキンとジャック側のパッキンとが密着するためにより良いな防水性が得られる。【００２２】  また請求項８の考案は防水性を有する電気製品がピンプラグを受けるピンジャックを備えており、前記ピンプラグのピンとツマミとの間に螺子部が設けられていると共にこの螺子部と前記ツマミとの間にパッキンが設けられており、且つピンジャックの前記螺子部に当たる部位にこれに対応する螺子部が設けられていると共に、前記パッキンがピンジャックの周囲に密着するように構成されていることによって、前記ピンとこのピンジャック側の受け口とを、前記パッキンとこれに密着するピンジャックの部位との内側で且つ前記螺子部同士による螺合部分の内側に、水密に保護するようにしたことを特徴とする、防水性を有する電気的接続部品を備えた電気製品である。【００２３】  この考案の電気製品では、電気的接続部品の部位がピンプラグとピンジャックに刻設された螺子部とピンプラグ側に設けられたパッキンとによって、この部位の防水性が確保されており、従ってこの電気製品はこの部位で防水性が破られることなく全体が防水性を備えていることになる。【００２４】  また請求項９の考案は防水性を有する電気製品がピンプラグを受けるピンジャックを備えており、前記ピンプラグのピンとツマミとの間に螺子部が設けられていると共にこの螺子部と前記ツマミとの間にパッキンが設けられており、且つピンジャックの前記螺子部に当たる部位にこれに対応する螺子部が設けられていると共に前記パッキンに当たる部位にパッキンが設けられていることにより、前記ピンとこのピンジャック側の受け口とを、ピンプラグのパッキンとこれに密着するピンジャックのパッキンとの内側で且つ前記螺子部同士による螺合部分の内側に、水密に保護するようにしたことを特徴とする、防水性を有する電気的接続部品を備えた電気製品である。【００２５】  この考案の電気製品では、ピンプラグとピンジャックとに刻設された螺子部によって、ピンジャックにピンプラグを螺子込むとこの時点で防水機能が得られたことになり、この部位での防水性が確保されるが、更にピンプラグ側のパッキンとピンジャック側のパッキンとが密着することによっても防水機能が得られるため、より良いな防水性能が獲得される。【００２６】  次に上記請求項６〜請求項９の各電気製品に於いて、前記ツマミに滑り止めが設けられているものとすることが出来る。この滑り止めとしては、ツマミに付けるゴムやツマミの表面に刻設さ��たリブなどを上げることが出来るが、これ以外の形態のものも任意に採用可能である。【００２７】  請求項６や請求項８の電気製品では水周りで使用するに際して、プラグを挿したり抜いたりする時に指先が滑らなくて良い。また請求項７や請求項９の電気製品では水周りで使用するに際して、ピンプラグのツマミを回転させた時に指先が滑らなくて良い。
【考案の効果】
【００２８】  この考案によれば、結合によって防水性が得られるプラグとジャックを得ることが出来た。またこのプラグとジャックとを使用することによって、この部位の防水性が確保される電気製品を得ることが出来た。
【考案を実施するための最良の形態】
【００２９】  以下この考案の実施形態を図面を用いて説明するが、この考案はこれ等の実施形態にのみ限定されるものではない。例えば第１実施形態のピンプラグとピンジャックとの組に付いては、これを他のプラグとジャックとの組に付いて適用することが可能である。また実施形態のプラグやジャックの形状に限定されるものでもない。【００３０】  第１実施形態
図１及び図２を用いてこの実施形態のピンプラグ部１、及びこのピンプラグ部１に対応するピンジャック部４を備えたコントローラ３に付いて説明する。これ等は風呂で使用される防水マッサージ機の一部であり、図２で表わされたコントローラ３はピンプラグ部１の接続口であるピンジャック部４を備えている。図示しない振動発生部は防水性を備えており、この振動発生部の電源としての乾電池を内蔵するコントローラ３も防水性を備えており、前記ピンプラグ部１から延びるコード１２は振動発生部に接続されている。従ってピンプラグ部１を前記ピンジャック部４に挿し込むと動作準備完了となる。【００３１】  前記ピンプラグ部１は合成樹脂製のつまみ１１と、その中に埋め込まれて先端を突出する接点金具１０と、この接点金具１０に配線されたコード１２とから成り、さらに前記つまみ１１の前面（接点金具１０の面）に接点金具１０と同軸にリング形状のゴムパッキン２が取り付けられている（図１）。なお図２で表わされたコントローラ３の符号３０はメンブレンスイッチでありこの中に符号３１で指し示した押しボタンが配置されているが、この部位の動作設計に付いては説明を省略する。【００３２】  前記ピンプラグ部１をピンジャック部４に挿し込むと、ピンジャック部４内の図示しない接点金具とピンプラグ部１の接点金具１０とが接触して通電可能となる。この際にリング形状の前記ゴムパッキン２がピンジャック部４の前面に密着するため、前記接点金具１０が挿される部位の孔がゴムパッキン２によって塞がれてこの部位が防水され、この部位から湿気や水分が浸入することがなくなるのである。【００３３】  第２実施形態
図３はこの実施形態のピンジャック部４０の側面図である。上述した第１実施形態のピンジャック部４では、ピンプラグ部１のゴムパッキン２がピンジャック部４の前面に直接密着するようになっていたが、この実施形態のピンジャック部４０には前記ゴムパッキン２が密着する部位に別のゴムパッキン２０が取り付けられている点に特徴を有する。【００３４】  従って前記ピンプラグ部１をこの実施形態のピンジャック部４０に差し込んだ時には、ピンプラグ部１側のゴムパッキン２とピンジャック部４０側のゴムパッキン２０とが密着してより強固な防水性が得られるのである。なお図中符号４１はピンジャック部４０の筐体であり、符号４２はピンプラグ部１の前記接点金具１０が挿入される挿入筒であり、また符号４３はピンプラグ部１の接点金具１０に接触するピンジャック部４０の接点金具である。【００３５】  第３実施形態
図４はこの実施形態のピンプラグ部５の側面図である。上述した第１実施形態のピンプラグ部１と異なる最大の点は合成樹脂製のつまみ５１中に埋め込まれて先端を突出する接点金具５０とゴムパッキン２との間の部位にネジ部２１が螺刻されている点である。また図示しないがこのネジ部２１に対応するピンジャック部側の部位にもネジ部が螺刻されている。なお図中符号５２はコードを指す。【００３６】  従って前記ピンプラグ部５を図示しないピンジャック部に差し込むにはつまみ５１を右回転させるようにするのである。そして最後までねじ込むとピンプラグ部５のゴムパッキン２がピンジャック部の前面の図示しないゴムパッキンに密着する。従って防水性はゴムパッキン２とネジ部２１とによって獲得されることになるのである。【００３７】  ところで上述したコントローラ３は電源としての乾電池を内蔵したり、メンブレンスイッチなどの操作部を備えている。水周りで使用されるものとしては防水性を備えている必要がある。防水性は乾電池を収容する機能しか備えていないような電池ボックスなどに付いても、乾電池の出し入れを可能とする限りは必要な機能である。また操作部がメンブレンスイッチ等の防水性に優れたものでなく、例えばコイル状且つＣリング形状のニクロム線にブラシを接触させ、このブラシを回動させるためのダイヤルを筐体の外側に設けたようなバリオームによるものなどでは別途防水機能を付与する必要がある。従ってこの考案の目的として操作部や乾電池の出し入れ口の部位で防水性が破られないようにすべく、防水性を有する電気的接続部品を提供することを目的とする。またこのような防水性を有する電気的接続部品を備えた電気製品を提供することを目的とする。以下ではこのようなことを可能にする実施形態を説明する。【００３８】  第４実施形態
図５はこの実施形態のコントローラ６の部分断面図であるが、ダイヤル６０を備えており、ダイヤル６０を回すことによってニクロム線７０の抵抗値を変化させることが出来るものである。すなわちコントローラ６の筐体６１には円形状の嵌合筒６２が形成されているが、この嵌合筒６２にダイヤル６０が嵌合されている。ダイヤル６０の裏側から延びる軸は筐体６１を回動自在に貫通してその先端部に回転板６４が形成されている。この回転板６４にはブラシ７が取り付けられており、このブラシ７がＣリング状のニクロム線７０に接触するように設けられている。ここで前記嵌合筒６２の上端外側部には段部６３が形成されており、この段部６３にリング状のゴムパッキン２２が填め合わされている。また前記軸の回転板６４の部位にリング状のゴムパッキン２３が填め合わされており、前記筐体６１に接触するように設けられている。【００３９】  従ってダイヤル６０の裏側から延びる前記軸が貫通する筐体６１の部位は２つのゴムパッキン２２，２３により防水性が付与されていることになり、筐体６１すなわちコントローラ６はこのダイヤル６０の部位で防水性が破られることがなくなっている。なおゴムパッキン２２，２３は何れか１を利用する構成も可能である。【００４０】  第５実施形態
図６はこの実施形態の電池ボックスの説明図であるが、乾電池の収納部８０の口には蓋部８がヒンジ８１によって開閉自在に設けられており、収納部８０の口にゴムパッキン２４が取り付けられて、前記蓋部８との間で防水性が保たれるように構成されている。【００４１】  また蓋部８の前記ヒンジ８１の反対側部には掛止突起８２が設けられており、これに対応する収納部８０の部位に設けられた掛止突起８３とは蓋部８を閉じた時に両者の凸部が一体化するように構成されている。また切欠部８５を有する掛止具８４が収納部８０のこの部位に回動自在に取り付けられており、この掛止具８４を蓋部８側に回した時に、前記掛止突起８２，８３の一体化した凸部を前記切欠部８５に潜らせると、掛止具８４が掛止突起８２を押さえて蓋部８が開かないように固定することが出来る。この時に前記ゴムパッキン２４が防水性を発揮するわけである。【００４２】  第６実施形態
次に図７及び図８を用いてこの実施形態の電池ボックス９を説明する。このものは内筒部９０とこの上に被せる外筒部９３とから構成されている。この内筒部９０はその中央部に２本のスリットで分割された切欠片９２が形成されており、その中程に掛止孔９２が開孔されている。また前記外筒部９３の中央部には防水性の押しボタン９５が設けられている。なお符号９４は外筒部９３の開口部であり、ここから前記内筒部９０が挿着される。この際に内筒部９０の奥方に内筒部９０の外周に沿って設けられたゴムパッキン２５が、外筒部９３の開口部９４に密着するように構成されている（図７）。【００４３】  前記内筒部９０は２本の乾電池Ｂをその極性を異なるようにして挿着し得るようなスペースを有すると共に、乾電池Ｂの陽極が接触する接点金具７１と、乾電池Ｂの陰極が弾接する接点となるコイルバネ７２が内筒部９０の底部に並設されている。他方、外筒部９３の底部にも乾電池Ｂの陽極が接触する接点金具７１と乾電池Ｂの陰極が弾接するコイルバネ７２とが電気的に接続されて設けられている。従って乾電池Ｂに弾接するコイルバネ７２によって、常には外筒部９３から内筒部９０が抜け出す方向に付勢されていることになる。【００４４】  ところで前記外筒部９３の前記掛止孔９２の側には掛止突起９６が掛止孔９２の方向に付勢されて設けられている。また前記押しボタン９５の内部にある突起が内筒部９０の前記切欠片９１を押圧し得る位置に設けられている。従って内筒部９０に外筒部９３を被せると、前記掛止突起９６が掛止孔９２に掛止して固定されるが、この時に内筒部９０側の前記ゴムパッキン２５が外筒部９３の開口部９４に密着する。次に前記押しボタン９５を押すと前記切欠片９１が内側へ押されて移動するため、前記掛止孔９２が前記掛止突起９６から外れるが、そうなると前記コイルバネ７２の弾力によって内筒部９０が外筒部９３から飛び出すように抜け出ることになる。これは電池Ｂの交換に都合が良い作用となっている。【００４５】  第７実施形態
次にこの実施形態の電池ボックスを図９を用いて説明する。収納部８０の乾電池の出し入れ口には円形状の嵌合筒８８が形成されており、またこの嵌合筒８８に嵌合し得る嵌合溝８６が蓋部に設けられており、蓋部８は収納部８０に対して着脱自在である。またこの嵌合筒８８の根元の外周にはゴムパッキンが取り付けられている。さらに嵌合筒８８の外周部には螺子溝８９ａ，８９ｂが２回対称の位置に形成されており、この螺子溝８９ａ，８９ｂに対して嵌脱自在となる突起８７ａ，８７ｂが嵌合溝８６の内周部の２回対称の位置に設けられている。【００４６】  そこで前記蓋部８の突起８７ａ，８７ｂを嵌合筒８８の螺子溝８９ａ，８９ｂに嵌め合わせて蓋部８を締める方向（通常は右方向）に回転させると、前記突起８７ａ，８７ｂが螺子溝８９ａ，８９ｂに案内され螺子溝８９ａ，８９ｂの奥方へ移動するに連れて蓋部８が螺子込まれて行き、蓋部８が前記ゴムパッキン２４に密着すると蓋部８の締め付けが完了し、電池ボックスの防水性が確保されることになる。なおこの状態で蓋部８の外周形状と収納部８０の外周形状とが一致するように（面が合うように）設計しておくことにより、蓋部８を締めた時の電池ボックスの見掛けが良好なものとなる。
【産業上の利用可能性】
【００４７】  この考案のプラグ・ジャックやピンプラグ・ジャックは防水性や防湿性を必要とするあらゆる電気製品に利用することが可能であり、その形態には特に限定がない。
【図面の簡単な説明】
【００４８】
【図１】  第１実施形態のピンプラグ部の側面図である。
【図２】  同実施形態のピンジャック部を用いたコントローラの平面図である。
【図３】  第２実施形態のピンジャック部の側面図である。
【図４】  第３実施形態のピンプラグ部の側面図である。
【図５】  第４実施形態のコントローラの部分断面図である。
【図６】  第５実施形態の電池ボックスの説明図である。
【図７】  第６実施形態の電池ボックスの平面図である。
【図８】  同実施形態を説明する断面模式図である。
【図９】  第７実施形態の電池ボックスの説明図である。
【符号の説明】
【００４９】  １    ピンプラグ部        １０  接点金具        １１  つまみ
１２  コード              ２    ゴムパッキン    ２０  ゴムパッキン
２１  ネジ部              ２２  ゴムパッキン    ２３  ゴムパッキン
２４  ゴムパッキン        ２５  ゴムパッキン    ３    コントローラ
３０  メンブレンスイッチ  ３１  押しボタン      ４    ピンジャック部
４０  ピンジャック部      ４１  筐体            ４２  挿入筒
４３  接点金具            ５    ピンプラグ部    ５０  接点金具
５１  つまみ              ５２  コード          ６    コントローラ
６０  ダイヤル            ６１  筐体            ６２  嵌合筒
６３  段部                ６４  回転板          ７    ブラシ
７０  ニクロム線          ７１  接点金具        ７２  コイルバネ
８    蓋部                ８０  収納部          ８１  ヒンジ
８２  掛止突起            ８３  掛止突起        ８４  掛止具
８５  切欠部              ８６  嵌合溝          ８７ａ突起
８７ｂ突起                ８８  嵌合筒          ８９ａ螺子溝
８９ｂ螺子溝              ９    電池ボックス    ９０  内筒部
９１  切欠片              ９２  掛止孔          ９３  外筒部
９４  開口部              ９５  押しボタン      ９６  掛止突起
Ｂ    乾電池
【図１】
0003155031.tif 000003
【図２】
0003155031.tif 000004
【図３】
0003155031.tif 000005
【図４】
0003155031.tif 000006
【図５】
0003155031.tif 000007
【図６】
0003155031.tif 000008
【図７】
0003155031.tif 000009
【図８】
0003155031.tif 000010
【図９】
0003155031.tif 000011